(57)【要約】【課題】本発明は、和太鼓全体を広く流通している安価な材料で簡単に組立製造でき、耐久性に優れ維持管理もかからない和太鼓を提供することを目的とするものである。【解決手段】紙管からなる胴部２の両端開口部に鼓部３及び４を配置して、紐体５及び６により締め付けて鼓部を張りのある状態とする。鼓部３及び４は、帆布シートの周縁部に鋼撚線からなる枠体が密封されて構成されており、枠体の内側に紐体５を挿通する複数の取付穴が開口している。したがって、紐体５を締め付けることで、枠体が下方又は上方に引っ張られて帆布シートが緊張した状態に維持されるようになる。【選択図】図１
2005121828.tif 000002
【特許請求の範囲】
【請求項１】
円筒状の紙管と、合成繊維製で表面加工された一対の帆布シートと、前記紙管の両端開口周縁よりも大きい略円形状に形成されるとともに前記帆布シートの周縁部に密封保持された枠体と、前記帆布シートで前記紙管の両端開口部全体を被覆した状態で前記帆布シートの周縁部を前記枠体とともに引張ることで前記帆布シートを緊張した状態で張設する張設手段とを備えていることを特徴とする和太鼓。
【請求項２】
前記枠体は、鋼撚線又は棒状鉄筋からなることを特徴とする請求項１に記載の和太鼓。
【請求項３】
前記枠体は、金属板状体からなることを特徴とする請求項１に記載の和太鼓。
【請求項４】
前記枠体は、紐体からなることを特徴とする請求項１に記載の和太鼓。
【請求項５】
前記張設手段は、前記帆布シートの周縁部に所定の間隔で形成された複数の取付穴に交互に挿着して締め付ける紐体からなることを特徴とする請求項１から４のいずれかに記載の和太鼓。
【発明の詳細な説明】
【技術分野】
【０００１】
本発明は、和太鼓に関し、特に従来より使用されている材料を用いた和太鼓に関する。
【背景技術】
【０００２】
近年、小中学校の音楽教育に日本の伝統音楽が取り入れられてきており、そのため授業の中で日本の伝統的な楽器を演奏するための設備の充実が全国的に望まれている。しかしながら、日本の伝統楽器は手作業により製造される場合がほとんどで、高価なものが多く、一部量産化されているものもあるが、そうしたものは一般に音楽の授業に使用するレベルのものではない。
【０００３】
特に、和太鼓の場合、胴部を木材から製造し、牛皮からなる鼓部を張設する作業は長期間の手作業で行われており、非常に高価なものとなっている。そこで、より安価な材料を用いて和太鼓を製造することが提案されている。例えば、特許文献１では、鼓部にゴムシートマットを用い、そのゴムシートマットの打撃表面にフェルトシートを粘着した点が記載されている。また、特許文献２では、胴部を肉厚紙で円筒輪切り状に形成し、鼓部を環状枠体で円形張紙の周縁を挟持固定し、環状枠体を連結引締め手段により引き締めた点が記載されている。また、特許文献３では、紙管製の胴部に鼓部としてバルカナイズドファイバーシートを太鼓鋲により張設した点が記載されている。
【特許文献１】実開平３−１２７３９６号公報
【特許文献２】特開平９−１４６５４２号公報
【特許文献３】特開平１０−１０５１６１号公報
【発明の開示】
【発明が解決しようとする課題】
【０００４】
上述した先行文献では、その一部に安価な材料が使用されているものの太鼓専用の材料や部品が使用されており、やはり高価なものとならざるを得ない。例えば、特許文献２の連結引締め手段は、太鼓専用のものであり、また、特許文献３では太鼓鋲により張設している。また、耐久性の面から見ると、特許文献１のゴムシートマットやフェルトシートは劣化しやすく、特許文献２の円形張紙についても湿潤状態になると問題が生じてくるおそれがある。
【０００５】
そこで、本発明は、和太鼓全体を広く流通している安価な材料で簡単に組立製造でき、耐久性に優れ維持管理もかからない和太鼓を提供することを目的とするものである。
【課題を解決するための手段】
【０００６】
本発明に係る和太鼓は、円筒状の紙管と、合成繊維製で表面加工された一対の帆布シートと、前記紙管の両端開口周縁よりも大きい略円形状に形成されるとともに前記帆布シートの周縁部に密封保持された枠体と、前記帆布シートで前記紙管の両端開口部全体を被覆した状態で前記帆布シートの周縁部を前記枠体とともに引張ることで前記帆布シートを緊張した状態で張設する張設手段とを備えていることを特徴とする。さらに、前記枠体は、鋼撚線又は棒状鉄筋からなることを特徴とする。また、前記枠体は、金属板状体からなることを特徴とする。また、前記枠体は、紐体からなることを特徴とする。さらに、前記張設手段は、前記帆布シートの周縁部に所定の間隔で形成された複数の取付穴に交互に挿着して締め付ける紐体からなることを特徴とする。
【発明の効果】
【０００７】
上記のような構成を有することで、一般に保管用に用いられている紙管製の容器の底部を抜いて容易に製造できる円筒状の容器と、テントやトラックの幌等に広く用いられている合成繊維製で表面加工された帆布シートとから和太鼓が簡単に組立製造でき、従来のものに比べて非常に安価になる。さらに、帆布シートは耐久性に優れ、引張強度も大きいため安定した状態で張設することができ、湿潤状態となっても影響を受けることはない。したがって、鼓部表面を雑巾で清掃するといったことも可能となり、維持管理の面でほとんど手間がかからなくなる。そして、帆布シートの周縁部に枠体を密封保持して、張設手段により帆布シートの周縁部を枠体とともに引張ることでほぼ均等な引張力を帆布シートに与えることができ、張力の調整も容易になる。
【０００８】
また、枠体として鋼撚線又は棒状鉄筋を用いることで、枠体自体が鋼撚線又は鉄筋の反発力によって帆布シートを緊張状態に保つことができ、さらに帆布シートの周縁部を枠体とともに引っ張ることで、帆布シートの周縁部が引張力により伸びてしまうことが防止される。また、枠体自体の弾性力によって引張力に対して反発力が生じ、帆布シートを長期間に亘って緊張状態に保つことができ、耐久性の優れたものとなる。枠体として金属板状体を用いることでも鋼撚線と同様の効果が奏されるとともに、円形状に正確に成形できることから帆布シートに与える引張力をより均等化することができる。枠体として紐体を用いることで、金属製の枠体のように胴部を構成する紙管の外方に突出することがなく小型の和太鼓を製作する際に好適である。
【０００９】
さらに、張設手段として、帆布シートの周縁部に所定の間隔で形成された複数の取付穴に交互に挿着して締め付ける紐状体を用いることで、太鼓鋲等を用いることなく十分な引張力を帆布シートに与えることができ、また引張力の調整も適宜行うことが可能となる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態の斜視図を示している。和太鼓１の胴部２の上下の開口部には、鼓部３及び４が取り付けられている。胴部２は、図２の斜視図に示すように、円筒形の紙管２０の両側開口の周縁部に円形の金属枠２１が固定されている。こうした構造の紙管は、薬剤等の運搬・保管用に使用されている一般的なもので、底部のみを取り外すことで簡単に製造することができる。サイズは様々なものがあるが、直径が３０ｃｍ〜５０ｃｍ程度のものが好ましい。また、円形の金属枠２１が固定されているので、開口部の強度が高まり、後述する紐体による引張りに対しても変形することがない。そして、紙管２０の外表面には、適宜塗料を塗布して装飾効果を向上することができる。塗料としては、セラミック系塗料を用いることで、廃棄することになっても環境に悪影響を及ぼすことが避けられる。
【００１２】
鼓部３及び４は、図３（ａ）の上面図に示すように略円形になっており、その大きさは、胴部２の開口部よりも１０〜２０％程度大きく設定される。打撃面を構成するシートとして帆布シート３０が用いられている。周縁部には、鋼撚線からなる略円形の枠体３１が帆布シート３０内に密封保持されている。図３（ａ）のＡ−Ａ断面図である図３（ｂ）に示すように、枠体３１は、帆布シート３０の周縁部を巻き付けて密封保持されている。そして、枠体３１の内周に接するように複数の取付穴３２が帆布シート３０に開口している。取付穴３２は、所定間隔毎に設けられており、その周囲には、金属製の鳩目３３が固着されている。枠体３１は、図４に示すように、線状の鋼撚線を必要な長さで切断してその両端を連結具３４で連結して作成される。両端を連結すると、鋼撚線の反発力により枠体３１はほぼ円形状となる。そして、帆布シート３０を枠体３１の大きさより１０〜２０％程度大きく切断して、その中央部に枠体３１を配置し、帆布シート３０の周縁部で枠体３１に巻き付けて包み込みながら帆布シート３０の重なり合った部分３５を順次熱融着していく。その際に、帆布シート３０を引張りながら枠体３１に巻き付けていくと、枠体３１の反発力により帆布シート３０が緊張した状態に張ることができる。この例では、鋼撚線を用いているが、棒状の鉄筋を用いてもよい。鉄筋を用いる場合には、鉄筋を一旦ローラ等に巻き付けてＲ曲げ加工を行った後切断して両端を溶接すれば円形状の枠体に成形することができる。
【００１３】
帆布シート３０は、テントやトラックの幌に用いられている一般的なものが使用できる。こうした帆布シートは、合成繊維製で表面加工が施されており、耐久性に優れ、湿潤状態でも劣化することがほとんどない。また、引張強度にも優れており、緊張した状態で長期間継続しても伸張してしまうことがほとんどない。したがって、太鼓の鼓部に用いた場合にも、緊張した状態が持続されて張力調整等の維持管理が少なくて済み、また打撃面の水洗いも可能で児童や生徒でも簡単に管理することができる。
【００１４】
帆布シートとしては、一般に市販されているものでよいが、例えば、ポリエステル系繊維により織成された基体の表面にＰＶＣ加工処理し、さらにフッ素フィルムを表面にラミネートしたものが挙げられる。こうした帆布シートを鼓部に用いる場合、当初は若干伸びるがある程度伸びた後は、安定した状態に保持される。また、帆布シートの表面に適宜彩色を施して装飾効果を高めることもできる。
【００１５】
図５は、枠体３１として、略円形状の金属板状体を用いた例を示している。ステンレス等の高強度の金属を用いて円形状に成形したものが好適である。製作する際には、鋼撚線の場合と同様に、帆布シート３０の周縁部を枠体３１に巻き付けるようにして包み込み熱融着して密封する。金属板状体は帆布シート３０を巻き付けて強く引張っても変形することがほとんどないので、帆布シート３０をより張りのある状態で取り付けることができる。
【００１６】
組み立てる場合には、紙管２の両側開口部にそれぞれ鼓部３及び４を中心が揃うように配置する。そうすると、図１に示すように、紙管２の開口部から鼓部３及び４の周縁部がはみ出した状態となる。この状態で、鼓部３及び４の取付穴３２に交互に紐体５を挿通していく。そして、すべての取付穴３２に挿通し終わったら、紐体５の両端部を引張ることで鼓部３と鼓部４との間を締め付けていく。この際に取付穴３２は上方又は下方に引張られるが、鳩目３３及び枠体３１により破損することはない。そして、枠体３１全体がそれぞれ上方又は下方に徐々に移動して、帆布シート３０に引張力が与えられ、紙管２の開口部に緊張した状態に保たれるようになる。
【００１７】
次に、締め付けた状態の紐体５を横断するように別の紐体６を巻き付けていく。そして、紐体６を締め付けながら、帆布シート３０の打撃音を聴き、張力を調整していく。このように、紐体５及び６により鼓部の張力調整ができるので、特殊な装置は不要で、練習をしながら調整していくことも可能である。
【００１８】
以上のように構成された和太鼓と従来の和太鼓とを演奏して比較したが、音量及び音色ともに従来の和太鼓と遜色のないものであった。また、長時間にわたって従来の和太鼓と同様に演奏に使用したが、鼓部の張りは維持されていた。
【００１９】
図５は、別の実施形態に関する斜視図を示している。この例は、小型の和太鼓を製作する場合により好適である。上記の例と同様に、紙管１００は、上下に開口部を有する円筒状に形成されており、鼓部１０１及び１０２は、帆布シートで作成されている。図６は、鼓部１０１及び１０２の上面図及びＣ−Ｃ断面図を示しているが、上述した実施形態と同様の帆布シート１３０に、枠体１３１として、紐体を用いている。紐体は、両端を結合して環状にしたもので、材料としては、例えばポリビニールアルコール系繊維により作成された公知の紐体等の引張強度に優れたものが好適である。製作する際には、帆布シート１３０の周縁部を紐体にできるだけ隙間のないように巻き付けて包み込み熱融着することで、密封する。
【００２０】
そして、この例では、鼓部１０１及び１０２の周縁部に枠体１３１に近接して複数の取付穴１０４が設けられている。鼓部１０１及び１０２で紙管１００の開口部に被覆し、両者の取付穴１０４に紐体１０３を交互に挿通しながら結び、締め付けていく。小型の和太鼓の場合には、こうした構成でも鼓部に十分な張力を与えることができる。
【００２１】
上述したように、本発明に係る和太鼓は、安価な材料を用いて学校の音楽用教材として好適の和太鼓を製作することができ、さらに、従来の和太鼓に比較してメンテナンス等の維持管理が非常に簡単に行える。
【図面の簡単な説明】
【００２２】
【図１】本発明に係る実施形態に関する概略斜視図である。
【図２】紙管に関する概略斜視図である。
【図３】鼓部に関する上面図及び断面図である。
【図４】鼓部の製作過程を示す説明図である。
【図５】別の鼓部に関する上面図及び断面図である。
【図６】別の実施形態に関する概略斜視図である。
【図７】図６の実施形態の鼓部に関する上面図及び断面図である。
【符号の説明】
【００２３】
１    和太鼓
２    胴部
３    鼓部
４    鼓部
５    紐体
６    紐体
【図１】
2005121828.tif 000003
【図２】
2005121828.tif 000004
【図３】
2005121828.tif 000005
【図４】
2005121828.tif 000006
【図５】
2005121828.tif 000007
【図６】
2005121828.tif 000008
【図７】
2005121828.tif 000009